(57)【要約】  鼻拡張をもたらす鼻あてにアイウェアレンズを固定するためのデバイス。デバイスは、アイウェアレンズに係合可能なベースを含んでなる。第１および第２のピボットユニットがそれぞれの旋回軸周りに旋回可能なベースに対して結合されている。ピボットユニットは集合的にそれらの間に鼻調節角を形成し、鼻調節角によってユーザの鼻に略一致させることが可能である。第１のピボットユニットおよび第２のピボットユニットは、１つ以上の鼻あてと相互作用して、第１のピボットユニットおよび第２のピボットユニットを１つ以上の鼻あてに磁気結合させるように構成されている。第１のピボットユニットおよび第２のピボットユニットと１つ以上の鼻あてとの間の磁気結合は、ユーザの鼻に拡張力を印加し、１つ以上の鼻あてがユーザの鼻に装着されているときに鼻の気道を拡張する。
2018523845.tif 000002
【特許請求の範囲】
【請求項１】
１つ以上のアイウェアレンズを、鼻の気道の拡張をもたらすユーザの鼻に装着可能な１つ以上の鼻あてに結合するためのデバイスにおいて、
前記１つ以上のアイウェアレンズに係合可能に構成されたベースと、
前記ベースに対して結合され、前記ベースに対して第１の旋回軸周りに旋回可能な、第１のピボットユニットと、
前記ベースに対して結合され、前記ベースに対して第２の旋回軸周りに旋回可能な、第２のピボットユニットと、を含んでなり、
前記第１のピボットユニットおよび前記第２のピボットユニットは、１つ以上の鼻あてと相互作用して、前記第１のピボットユニットおよび前記第２のピボットユニットを前記１つ以上の鼻あてに磁気結合させるように構成され、前記第１のピボットユニットおよび前記第２のピボットユニットと前記１つ以上の鼻あてとの間の前記磁気結合は前記ユーザの鼻に拡張力を印加し、前記１つ以上の鼻あてが前記ユーザの鼻に装着されているときに前記鼻の気道を拡張する、デバイス。
【請求項２】
前記第１のピボットユニットと前記第２のピボットユニットとに対して結合されたガイド部材をさらに含んでなり、前記ガイド部材は前記ベースに対して移動可能であり、前記ベースに対する前記ガイド部材の移動は、前記ベースに対する前記第１のピボットユニットおよび前記第２のピボットユニットの旋回動をもたらす、請求項１に記載のデバイス。
【請求項３】
前記ガイド部材内には一対の溝が形成されており、前記第１のピボットユニットおよび前記第２のピボットユニットはそれぞれ、前記一対の溝のうちの１つに収容されている、請求項２に記載のデバイス。
【請求項４】
前記ガイド部材は、前記第１のピボットユニットおよび前記第２のピボットユニットと接合するカム面を含んでなり、前記カム面は、前記ガイド部材の平行移動を前記第１のピボットユニットおよび前記第２のピボットユニットの旋回動に変換するような大きさに決められて構成されている、請求項２に記載のデバイス。
【請求項５】
前記ベースと前記ガイド部材とに対して結合された調節シャフトをさらに含んでなり、前記ガイド部材は前記調節シャフトに沿って平行移動可能である、請求項１に記載のデバイス。
【請求項６】
前記ガイド部材および前記調節シャフトは、前記ガイド部材が前記調節シャフトの回転軸周りの回転に対応して前記調節シャフトに沿って平行移動可能となるように構成されている、請求項５に記載のデバイス。
【請求項７】
前記調節シャフトに対して結合され、前記調節シャフトの前記回転軸周りの回転の手動制御を可能とするように適合された調節ノブをさらに含んでなる、請求項６に記載のデバイス。
【請求項８】
前記第１のピボットユニットは第１のギヤ部を含んでなり、前記第２のピボットユニットは前記第１のピボットユニットの前記第２のピボットユニットに対する旋回動の連動を促進するように前記第１のギヤ部に協働的に係合された第２のギヤ部を含んでなる、請求項１に記載のデバイス。
【請求項９】
前方フレーム要素と、前記前方フレーム要素に旋回可能に結合された一対のアームと、を含んでなるアイウェアフレームをさらに含んでなり、前記ベースは前記前方フレーム要素に対して一体結合されている、請求項１に記載のデバイス。
【請求項１０】
前記ベースは、前記１つ以上のアイウェアレンズを収容するように適合されたレンズ収容溝を有するブリッジ要素を含んでなる、請求項１に記載のデバイス。
【請求項１１】
前記ベースは、前記ブリッジ要素に対して結合されるとともに第１のヒンジ部と第２のヒンジ部とを有するヒンジ要素を含んでなり、前記第１のピボットユニットは前記第１のヒンジ部において前記ヒンジ要素に対して結合され、前記第２のピボットユニットは前記第２のヒンジ部において前記ヒンジ要素に対して結合されている、請求項１に記載のデバイス。
【請求項１２】
前記第１のピボットユニットは第１のピボットアームと前記第１のピボットアームに対して結合された第１のパッドとを含んでなり、前記第１のピボットアームは前記ベースに旋回可能に結合されており、
前記第２のピボットユニットは第２のピボットアームと前記第２のピボットアームに対して結合された第２のパッドとを含んでなり、前記第２のピボットアームは前記ベースに旋回可能に結合されている、請求項１に記載のデバイス。
【請求項１３】
前記第１のパッドは前記第１のピボットアームに沿って平行移動可能であり、前記第２のパッドは前記第２のピボットアームに沿って平行移動可能である、請求項１２に記載のデバイス。
【請求項１４】
前記第１のピボットユニットは第１のピボットアームと前記第１のピボットアームに対して結合された１つ以上の磁石とを含んでなり、
前記第２のピボットユニットは第２のピボットアームと前記第２のピボットアームに対して結合された１つ以上の磁石とを含んでなる、請求項１に記載のデバイス。
【請求項１５】
前記第１のピボットユニットは第１のピボットアームと前記第１のピボットアームに対して結合された第１の一対の磁石とを含んでなり、前記第１の一対の磁石は角度オフセット状に配置されており、
前記第２のピボットユニットは第２のピボットアームと前記第２のピボットアームに対して結合された第２の一対の磁石とを含んでなり、前記第２の一対の磁石は角度オフセット状に配置されている、請求項１に記載のデバイス。
【請求項１６】
前記ベースに対して結合され、前記ユーザの鼻と係合して前記デバイスを前記ユーザの鼻上に保持するように適合された保持部材をさらに含んでなる、請求項１に記載のデバイス。
【請求項１７】
１つ以上のアイウェアレンズをユーザに装着して前記ユーザの鼻を拡張するためのシステムにおいて、
ベース層と前記ベース層に対して結合された金属要素とを含んでなる１つ以上の鼻あてであって、前記ベース層は前記ユーザの鼻に装着可能に構成されている、鼻あてと、
前記１つ以上の鼻あてに動作可能に結合可能なアイウェア固定デバイスであって、
前記１つ以上のアイウェアレンズに係合可能に構成されたベースと、
前記ベースに対して結合され、前記ベースに対して第１の旋回軸周りに旋回可能な、第１のピボットユニットと、
前記ベースに対して結合され、前記ベースに対して第２の旋回軸周りに旋回可能な、第２のピボットユニットと、を含んでなり、
前記第１のピボットユニットおよび前記第２のピボットユニットは、１つ以上の鼻あてと相互作用して、前記第１のピボットユニットおよび前記第２のピボットユニットを前記１つ以上の鼻あてに磁気結合させるように構成され、前記第１のピボットユニットおよび前記第２のピボットユニットと前記１つ以上の鼻あてとの間の前記磁気結合は前記ユーザの鼻に拡張力を印加し、前記１つ以上の鼻あてが前記ユーザの鼻に装着されているときに前記鼻の気道を拡張する、アイウェア固定デバイスと、
を含んでなる、システム。
【請求項１８】
前記第１のピボットユニットと前記第２のピボットユニットとに対して結合されたガイド部材をさらに含んでなり、前記ガイド部材は前記ベースに対して移動可能であり、前記ベースに対する前記ガイド部材の移動は、前記ベースに対する前記第１のピボットユニットおよび前記第２のピボットユニットの旋回動をもたらす、請求項１に記載のデバイス。
【請求項１９】
前記ガイド部材内には一対の溝が形成されており、前記第１のピボットユニットおよび前記第２のピボットユニットはそれぞれ、前記一対の溝のうちの１つに収容されている、請求項２に記載のデバイス。
【請求項２０】
前記ガイド部材は、前記第１のピボットユニットおよび前記第２のピボットユニットと接合するカム面を含んでなり、前記カム面は、前記ガイド部材の平行移動を前記第１のピボットユニットおよび前記第２のピボットユニットの旋回動に変換するような大きさに決められて構成されている、請求項２に記載のデバイス。
【発明の詳細な説明】
【技術分野】
【０００１】
本開示は大略的には呼吸の改善のための構成部品に関するものであり、より詳細には、レンズをユーザの鼻に固定してユーザの鼻の気道を拡張するための、ユーザの鼻に装着可能な鼻あてと、鼻あてに磁気吸着可能なレンズ保持デバイスとを含んでなるシステムに関するものである。
【背景技術】
【０００２】
スポーツを行うまたは身体競技に参加する際、身体による酸素に対する需要が高まるため、呼吸が重要であることは容易に理解される。呼吸は個人の鼻孔および／または個人の口を介して体内に空気を引き込むことによって行うことができる。しかし、いくつかの事例において、口を介した呼吸に対して否定的側面がある可能性があるため、ほぼ鼻孔のみを介して呼吸を行うことが好適である。それによると、口を介した呼吸は早期の水分損失および熱損失をもたらす可能性があり、これらはいずれも運動誘発性のぜんそくの可能性を高める。
【０００３】
また、アイウェアが、多くのスポーツおよび活動に参加する際に一般的に使用されることも理解される。かかるアイウェアには、サングラス、保護めがね、または視力向上（たとえば、処方）めがねが含まれる可能性がある。しかし、少なくとも、ほとんどのアイウェアは装着者の呼吸能力の改善に適合されておらず、いくつかの事例において、ユーザの鼻を圧迫して鼻の気道を圧縮することにより、実際には装着者の呼吸を妨げる可能性がある。
【発明の概要】
【発明が解決しようとする課題】
【０００４】
したがって、当該技術分野において、アイウェアレンズを装着している間に装着者の鼻の気道を介した呼吸を行う装着者の能力を向上させるための、アイウェアレンズに使用可能なデバイスに対する需要がある。以下により詳しく述べるように、本発明の様々な態様がこの特定の需要に対応している。
【課題を解決するための手段】
【０００５】
本開示の一実施形態によると、鼻の気道の拡張をもたらすユーザの鼻に装着可能な１つ以上の鼻あてにアイウェアレンズを固定するためのデバイスが与えられる。デバイスはアイウェアレンズに係合可能に構成されたベースを含んでなる。第１のピボットユニットはベースに対して結合され、ベースに対して第１の旋回軸周りに旋回可能である。第２のピボットユニットはベースに対して結合され、ベースに対して第１の旋回軸から間隔を空け、かつ第１の旋回軸に略平行して設けられた第２の旋回軸周りに旋回可能である。第１のピボットユニットおよび第２のピボットユニットは、１つ以上の鼻あてと相互作用して、第１のピボットユニットおよび第２のピボットユニットを１つ以上の鼻あてに磁気結合させるように構成されている。第１のピボットユニットおよび第２のピボットユニットと１つ以上の鼻あてとの間の磁気結合はユーザの鼻に拡張力を印加し、１つ以上の鼻あてがユーザの鼻に装着されているときに鼻の気道を拡張する。
【０００６】
デバイスは、第１のピボットユニットと第２のピボットユニットとに対して結合されたガイド部材をさらに含んでなり得、ガイド部材はベースに対して移動可能であり、ベースに対するガイド部材の移動は、ベースに対する第１のピボットユニットおよび第２のピボットユニットの旋回動をもたらす。
【０００７】
ガイド部材内には一対の溝が形成されていてもよく、第１および第２のピボットユニットはそれぞれ一対の溝のうちの１つに収容されている。ガイド部材は、第１のピボットユニットおよび第２のピボットユニットと接合するカム面を含んでなってもよく、カム面は、ガイド部材の平行移動を第１のピボットユニットおよび第２のピボットユニットの旋回動に変換するような大きさに決められて構成されている。デバイスは、ベースとガイド部材とに対して結合された調節シャフトをさらに含んでなってもよく、ガイド部材は調節シャフトに沿って平行移動可能である。ガイド部材および調節シャフトは、ガイド部材が調節シャフトの回転軸周りの回転に対応して調節シャフトに沿って平行移動可能となるように構成されていてもよい。デバイスは、調節シャフトに対して結合され、調節シャフトの回転軸周りの回転の手動制御を可能とするように適合された調節ノブをさらに含んでなってもよい。
【０００８】
第１のピボットユニットは第１のギヤ部を含んでなってもよく、第２のピボットユニットは第１のピボットユニットの第２のピボットユニットに対する旋回動の連動を促進するように第１のギヤ部に協働的に係合された第２のギヤ部を含んでなってもよい。デバイスは、前方フレーム要素と、前方フレーム要素に旋回可能に結合された一対のアームと、を含んでなり、アイウェアフレームをさらに含んでなってもよく、ベースは前方フレーム要素に対して一体結合されている。
【０００９】
ベースは、アイウェアレンズを収容するように適合されたレンズ収容溝を有するブリッジ要素を含んでなってもよい。ベースは、ブリッジ要素に対して結合されるとともに第１のヒンジ部と第２のヒンジ部とを有するヒンジ要素を含んでなってもよく、第１のピボットユニットは第１のヒンジ部においてこのヒンジ要素に対して結合され、第２のピボットユニットは第２のヒンジ部においてこのヒンジ要素に対して結合されている。
【００１０】
デバイスは、ベースに対して結合され、ユーザの鼻と係合してデバイスをユーザの鼻上に保持するように適合された保持部材を含んでなってもよい。
第１のピボットユニットはベースに旋回可能に結合された第１のピボットアームを含んでなってもよく、第２のピボットユニットはベースに旋回可能に結合された第２のピボットアームを含んでなってもよい。１つ以上の磁石が第１のピボットアームに対して結合されていてもよく、１つ以上の磁石が第２のピボットアームに対して結合されていてもよい。第１の対の磁石が第１のピボットアームに対して結合され、互いに角度オフセット状に配置されていてもよく、第２の対の磁石が第２のピボットアームに対して結合され、互いに角度オフセット状に配置されていてもよい。第１のパッドが第１のピボットアームに対して結合されていてもよく、第２のパッドが第２のピボットアームに対して結合されていてもよい。第１のパッドは第１のピボットアームに沿って平行移動可能であってよく、第２のパッドは第２のピボットアームに沿って平行移動可能であってよい。第１のピボットアームと第２のピボットアームとは、中央軸の対向する側に配置されていてもよい。第１の磁石が第１のピボットアームに対して結合され、中央軸に向いた第１の磁石内側面を有していてもよい。第２の磁石が第２のピボットアームに対して結合され、中央軸に向いた第２の磁石内側面を有していてもよい。第１のパッドは中央軸に向いた第１のパッド内側面を有していてもよく、第２のパッドは中央軸に向いた第２のパッド内側面を有していてもよい。第１の磁石内側面は第１のパッド内側面からオフセットされていてもよく、第２の磁石内側面は第２のパッド内側面からオフセットされていてもよい。第１の磁石内側面は第１のパッド内側面と略平行であってもよく、第２の磁石内側面は第２のパッド内側面と略平行であってもよい。第１のパッドは第１のピボットアームに対して着脱可能に結合されていてもよく、第２のパッドは第２のピボットアームに対して着脱可能に結合されていてもよい。
【００１１】
他の実施形態によると、アイウェアレンズをユーザの鼻に装着してユーザの鼻を拡張するためのシステムが与えられる。システムは、ベース層とベース層に対して結合された金属要素とを含んでなる１つ以上の鼻あてを含んでなり、ベース層はユーザの鼻に装着可能に構成されている。システムは、１つ以上の鼻あてに動作可能に結合可能なアイウェア固定デバイスをさらに含んでなる。アイウェア固定デバイスは、アイウェアレンズに係合可能に構成されたベースを含んでなる。第１のピボットユニットはベースに対して結合され、ベースに対して第１の旋回軸周りに旋回可能である。第２のピボットユニットはベースに対して結合され、ベースに対して第１の旋回軸から間隔を空け、かつ第１の旋回軸に略平行して設けられた第２の旋回軸周りに旋回可能である。第１のピボットユニットおよび第２のピボットユニットは、集合的にそれらの間に鼻調節角を形成し、鼻調節角はユーザの鼻に略一致させることが可能である。第１のピボットユニットおよび第２のピボットユニットは、１つ以上の鼻あてと相互作用して、第１のピボットユニットおよび第２のピボットユニットを１つ以上の鼻あてに磁気結合させるように構成されている。第１のピボットユニットおよび第２のピボットユニットと１つ以上の鼻あてとの間の磁気結合はユーザの鼻に拡張力を印加し、１つ以上の鼻あてがユーザの鼻に装着されているときに鼻の気道を拡張する。
【００１２】
本開示は、以下の詳細な説明を添付図面と併せて参照することにより最良に理解されるであろう。
【図面の簡単な説明】
【００１３】
【図１】アイウェアレンズ取り付けデバイスおよび一対の鼻あてを含んでなるシステムの第一実施形態の正面図である。
【図２】アイウェアレンズ取り付けデバイスの第一実施形態の側面図である。
【図３】アイウェアレンズ取り付けデバイスの第一実施形態の正面上方斜視図である。
【図４】アイウェアレンズ取り付けデバイスの第一実施形態の背面上方斜視図である。
【図５】調整ツールを伴うアイウェアレンズ取り付けデバイスの第一実施形態の底面斜視図である。
【図６】アイウェアレンズ取り付けデバイスの第一実施形態の狭めた状態を示す正面図である。
【図７】アイウェアレンズ取り付けデバイスの第一実施形態の広げた状態を示す正面図である。
【図８】アイウェアレンズ取り付けデバイスの第二実施形態の上方斜視図である。
【図９】アイウェアレンズ取り付けデバイスの第二実施形態の装着者の使用状態を示す上方斜視図である。
【図１０】アイウェアフレームに一体成形されたアイウェアレンズ取り付けデバイスの第三実施形態の正面上方斜視図である。
【図１１】アイウェアレンズ取り付けデバイスの第三実施形態の背面下方斜視図である。
【図１２】アイウェアレンズ取り付けデバイスの第三実施形態の側面図である。
【図１３】アイウェアレンズ取り付けデバイスの第三実施形態の狭めた状態を示す背面図である。
【図１４】アイウェアレンズ取り付けデバイスの第三実施形態の広げた状態を示す背面図である。
【図１５】アイウェアフレームに一体成形されたアイウェアレンズ取り付けデバイスの第四実施形態の正面上方斜視図である。
【図１６】アイウェアレンズ取り付けデバイスの第四実施形態の背面上方斜視図である。
【図１７】アイウェアレンズ取り付けデバイスの第四実施形態の側面図である。
【図１８】アイウェアレンズ取り付けデバイスの第四実施形態の狭めた状態を示す背面図である。
【図１９】アイウェアレンズ取り付けデバイスの第四実施形態の広げた状態を示す背面図である。
【図２０】アイウェアレンズ取り付けデバイスおよび一対の鼻あてを含んでなるシステムの第五実施形態の正面図である。
【図２１】図２０に示すシステムの側面図である。
【図２２】図２０〜図２１のアイウェアレンズ取り付けデバイスの、アイウェアレンズから外した状態を示す上方斜視図である。
【図２３】図２０〜図２２に示すアイウェアレンズ取り付けデバイスの上方分解斜視図である。
【図２４】図２０〜図２３のアイウェアレンズ取り付けデバイスの広げた状態を示す正面図である。
【図２５】図２０〜図２３のアイウェアレンズ取り付けデバイスの、図２４に示す広げた状態に対する狭めた状態を示す正面図である。
【図２６】鼻保持部材を含んでなるアイウェアレンズ取り付けデバイスの第六実施形態の上方斜視図である。
【図２７】図２８に示すアイウェアレンズ取り付けデバイスを含んでなるシステムの側面図である。
【図２８】アイウェアフレームに一体成形されたアイウェアレンズ取り付けデバイスの第七実施形態の正面上方斜視図である。
【図２９】アイウェアレンズ取り付けデバイスの第七実施形態の背面上方斜視図である。
【図３０】アイウェアレンズ取り付けデバイスの第七実施形態の正面図である。
【図３１】アイウェアレンズ取り付けデバイスの第七実施形態の側面図である。
【図３２】アイウェアレンズ取り付けデバイスの第八実施形態の正面図である。
【図３３】アイウェアレンズ取り付けデバイスの第八実施形態の部分断面図である。
【発明を実施するための形態】
【００１４】
本明細書において開示する様々な実施形態のこれらおよび他の特徴および利点は、以下の記載および図面に関してよりよく理解されるであろう。
同じ構成要素を示すため、図面および詳細な説明の全体において、共通する参照番号が使用される。
【００１５】
添付図面に関連して以下に記載する詳細な説明は、アイウェアレンズをユーザの鼻上に配置すると同時にユーザの鼻を拡張してそれを介した気流を促進するためのシステムの特定の実施形態の説明を意図するものであり、開発されるまたは利用される可能性のある形態のみを示すことを意図するものではない。詳細な説明には図示する実施形態に関連する様々な構成および機能、あるいは構成または機能を記載するが、同様または均等の構成および機能、あるいは構成または機能が本開示の範囲内に含まれることを意図する異なる実施形態によっても達成される可能性があることを理解すべきである。また、第１のおよび第２のなどの関連を示す用語が一方の物を他方の物から区別するためにのみ使用され、それらの物の間に必ずしも実際にそのような関連または順序を要求または意味しないことを理解すべきである。
【００１６】
図１を参照し、本開示の一実施形態に従い、アイウェアレンズ１２をユーザの鼻１４に固定すると同時に鼻の気道１６を形成する鼻１４の領域に拡張力を印加することによってユーザの鼻１４を拡張するためのシステム１０が与えられる。以下により詳しく説明するように、システム１０はレンズ取り付けデバイス１８をユーザの鼻１４に密着される１つ以上の鼻あて２０に結合するために磁力を利用する。磁力はレンズ取り付けデバイス１８をユーザの鼻１４上に少なくとも部分的に保持し、レンズ取り付けデバイス１８は、アイウェアレンズ１２をユーザの目の前方の従来の位置に配置するようにアイウェアレンズ１２と係合するように適合されている。磁力はまた、鼻あて２０をレンズ取り付けデバイス１８に向かって「引く」、すなわち付勢して、鼻の気道１６を拡張する。
【００１７】
図１および図２に示すシステム１０は一対の鼻あて２０を含んでなり、各鼻あて２０は一般に可撓体２２および可撓体２２に対して結合された金属要素２４を含んでなる。可撓体２２はユーザの鼻１４の側部領域に装着されるように構成され、可撓体２２はユーザの鼻１４の独自の構造に一致するように屈曲／撓曲させることが可能である。一実施形態によると、可撓体２２はその外面に配置された粘着剤を含んでなり、鼻あて２０の鼻１４への選択的な装着を可能にしている。可撓体２２に対して剥離層を結合して粘着剤を覆い、鼻あて２０を使用するまで粘着剤を保護するようにしてもよい。
【００１８】
一実施形態に従い、図２に示す透視図によると、可撓体２２は一般に砂時計または蝶の形状の外周を形成している。この点で、外周は一対の対向する凹形の縁部を有する中央狭部によって分割された一対の拡張端部を含んでなる。外周の一般に砂時計型の形状は、可撓体２２がユーザの鼻１４の独自の構造に対してより容易に一致することを可能にする可能性がある。たとえば、可撓体２２の一端部は「鼻の翼弁」、たとえば、鼻孔の周りに延びる曲面状の隆起部上に延びていてもよく、可撓体２２の中央部は翼弁の筋目上に延びていてもよく、可撓体２２の残りの端部は鼻１４の隣接領域上に延びていてもよい。図２に示す鼻あて２０は、鼻１４の左側または右側のいずれかに使用するために特に構成されてもよいことが予期されるが、鼻のどちら側にも使用されるように設計されている。その事例において、鼻１４の筋目を収容することになる鼻あて２０の凹形の縁部によって形成される切り欠き部は、鼻あて２０のユーザの頬に最も近く、かつ鼻１４の鼻梁から離れた側上に配置されるであろう。
【００１９】
一実施形態によると、可撓体２２は、一対の外層と外層間に捕捉された金属要素２４とを含んでなる複合構造体である。層は互いに、接着、積層、または当該技術分野において公知のその他手段で固定されてもよい。金属要素２４は、磁石が鼻１４近傍に遠隔的に配置され、可撓体２２が鼻１４に装着されているときに、磁石と相互作用するように構成されている。システム１０の場合、金属要素２４と相互作用する磁石は、以下により詳しく説明するように、レンズ取り付けデバイス１８の一部である。金属要素２４は、可撓体２２の少なくとも一部が金属要素２４を越えて径方向外方に延びて可撓性外周部を形成するように配置される。
【００２０】
一実施形態によると、金属要素２４は、遠隔的に配置された磁石との磁気係合を強化するために、「ドーム状の」または弧状の構成を形成する凸状面を含んでなる。この点で、磁石と金属要素２４との間の平面対平面の取り付けは、ユーザの鼻１４に対して不快なトルクを生成する可能性がある。したがって、金属要素２４上にドーム状の係合面を設けることによって、かかる不快なトルクを回避してもよい。さらに、凸状面は、その上で磁石が動くことを妨げず、むしろ、磁石が鼻あて２０と磁石との間の係合中に動くまたは浮遊することを可能にする、適切な構造を形成する。具体的には、磁石は、金属要素２４が磁石と磁気係合している間、金属要素２４に対して１つ以上の軸に沿って、より好適には２つ以上の軸に沿って、移動してもよい。
【００２１】
ドーム状のまたは弧状の面は、可撓体２２によって形成される可撓体平面に略平行であるなど、可撓体２２の大略的に平面状の面に対向するように配置されていてもよい。金属要素２４の外周は、円形、楕円形、四角形など、あらゆる形状であってよいことが理解される。金属要素２４と対応する磁石との間の凸状係合の利点もまた、弧状またはドーム形状の磁石の使用によって達成される。この点で、金属要素２４および磁石、あるいは金属要素２４または磁石は弧状または曲面状の面を有していてよい。
【００２２】
一実施形態によると、可撓体２２は、鼻あて２０の下に汗が溜まるのを防止するために、鼻あて２０の下に存在するユーザの皮膚を換気するための可撓体２２を貫通する１つ以上の孔（図示せず）を含んでなる。それによると、鼻あて２０とユーザの皮膚との間に汗が溜まると、鼻あて２０をユーザの鼻１４に効果的に固定するための粘着力が低下する可能性がある。したがって、孔を組み込むことによって、汗は蒸発またはユーザの皮膚から流れ去ることができ、鼻あて２０とユーザの鼻１４との間の粘着をより効果的に維持することができる。
【００２３】
鼻あて２０に関するより多くの情報については、参照によりそれぞれの内容が明確に本明細書に組み込まれる、米国特許出願第１４／７９９，１９２号明細書、米国特許出願第１４／６２２，４４８号明細書（米国特許出願公開第２０１５／０１７３９３４号明細書）、米国特許出願第１４／５０２，３４８号明細書（米国特許出願公開第２０１５／０１７３９３３号明細書）を参照されたい。また、例示的な実施形態は一対の鼻あて２０を含むが、システム１０の他の実施形態は１つの鼻あて２０を含んでいてもよく、また他の実施形態において、システム１０は一対より多い鼻あて２０を含んでなってもよいことが理解される。この点で、本開示の範囲において鼻あて２０の数は特定の数に限定されない。
【００２４】
レンズ取り付けデバイス１８については、かかるデバイス１８は一般にベース２６とベース２６に旋回可能に結合された一対のピボットユニット２８とを含んでなる。レンズ取り付けデバイス１８は、以下により詳細に説明するように、ユーザの鼻１４の大きさおよび形状に一致させるとともにユーザの鼻に対する拡張力の強さを調節するために、ピボットユニット２８を介して調節可能である。
【００２５】
一実施形態によると、ベース２６はアイウェアレンズ１２を収容するように適合されたブリッジ要素３０と、ピボットユニット２８に旋回可能に係合するように適合されたヒンジ要素３２とから構成されている。例示的な実施形態に示されるブリッジ要素３０およびヒンジ要素３２は互いに一体成形されているが、ブリッジ要素３０およびヒンジ要素３２は互いに協働する別々の構成要素であってもよいことが理解される。
【００２６】
要素３０は、アイウェアレンズ１２を収容するように適合されたレンズ収容溝３４を含んでなる。ブリッジ要素３０は、ベース２６がユーザの鼻１４に対して結合されたときに頂点で交差し、かつユーザの鼻１４の対向する側面領域に沿って延びるように適合された、一対のブリッジ要素アームを含んでなる。レンズ収容溝３４は前方壁部および後方壁部によって形成されており、それらの間に配置されており、レンズ収容溝３４は一対のブリッジ要素アームの間をそれらに沿って延びている。レンズ収容溝３４の幅（たとえば、前方壁部と後方壁部との間の距離）は、アイウェアレンズ１２をその間に堅固に保持するようにアイウェアレンズ１２の厚みに大略的に対応している。
【００２７】
ヒンジ要素３２は第１および第２のピボットユニット２８に旋回可能に結合され、第１の側壁３６、第２の側壁３８、および第１の側壁３６と第２の側壁３８との間に延びる主壁４０を含んでなる。第１の側壁３６、第２の側壁３８、および主壁４０は、以下により詳しく説明するように、集合的に、ガイド部材４４を収容する空洞４２（図７参照）を形成してもよい。
【００２８】
各ピボットユニット２８は、ヒンジ要素３２に旋回可能に結合され、第１端部４８および反対側の第２端部５０を含んでなるピボットアーム４６を含んでなる。例示的な実施形態において、各ピボットアーム２８はヒンジ要素３２上に形成されたヒンジ穴５４と整合するピボット穴５２を含んでなり、ピボットピンがピボット穴５２およびヒンジ穴５４を貫通して延びてピボットアーム４６をヒンジ要素３２に旋回可能に結合している。ピボットアーム２８は、各ピボットアーム４６の第１端部４８がヒンジ要素３２のそれぞれの側壁３６、３８に隣接する空洞４２内へ延びるように配置される。各ピボットアーム２８の第１端部４８は、以下により詳しく説明するように、ガイド部材４４と接合するように特に構成され適合されたアームカム面５６を形成する。
【００２９】
各ピボットアーム２８の第２端部５０は、１つ以上の磁石５８、好適には一対の磁石５８に対して結合されている。例示的な実施形態において、各ピボットアーム４６は磁石保持部６０を含んでなり、それによりピボットアーム４６が第２端部５０において肥大形状となる要因となる可能性がある。各磁石保持部６０は１つの、より好適には一対の磁石５８と係合するような大きさに決められて構成されている。各磁石５８は、対応する磁石保持部６０から離れる方に向いた露出面を含んでなる。一実施形態によると、一対の磁石５８は各磁石保持部６０に対して結合され、磁石５８の露出面は互いに角度オフセット状に配置されて浅い「Ｖ」形状を形成する。磁石５８の角度オフセット状の構成は、鼻あて２０の金属要素２４との面対面の磁気係合を軽減し、それにより鼻あて２０が磁石５８に対して動く、または磁石５８に対して動くように付勢されるときにユーザの鼻に印加されるトルクを低減する。
【００３０】
ピボットユニット２８は、鼻あて２０と相互作用して、ピボットユニット２８を鼻あて２０に磁気結合するように構成されている。ピボットユニット２８と鼻あて２０との間の磁気結合は、ユーザの鼻１４に拡張力を印加し、鼻の気道１６を拡張する。この点で、鼻あて２０は、レンズ取り付けデバイス１８をユーザの鼻１４に対して選択的に着脱することにより「ＯＮ」状態と「ＯＦＦ」状態との間の選択的な移行を行うように特に構成され適合される。具体的には、レンズ取り付けデバイス１８をユーザの鼻１４上に配置して、それにより磁石５８をユーザの鼻１４上に存在する鼻あて２０の近傍に配置すると、金属要素２４はそれぞれの磁石５８（またはそれぞれの対の磁石５８）に向かって引っ張られ、それにより鼻１４に拡張力を印加する。それに対して、レンズ取り付けデバイス１８をユーザの鼻１４から外して、それにより磁石５８がユーザの鼻１４の近傍から離れると、金属要素２４はユーザの鼻１４から離れて引っ張られなくなり、それにより鼻あて２０によって鼻１４に拡張力が印加されなくなる。鼻あて２０をユーザから外す必要なくＯＮ状態とＯＦＦ状態との間の選択的な移行を行う性能は、ユーザが競技の最初に鼻あて２０を鼻１４に配置して、競技の間中、鼻あて２０を鼻１４上に保持することを可能にする一方、ユーザが鼻あて２０のＯＮ状態とＯＦＦ状態との間の選択的な移行を行うことを可能にするため、著しい利益である。ＯＮ状態とＯＦＦ状態との間の移行を行うかかる性能は、ユーザの鼻の気道を開くためにばね付勢された金属ストリップを使用した従来の鼻用「ストリップ」からの重要な新機軸である。従来の鼻用ストリップは、鼻用ストリップが鼻に対して結合されている時間全てにおいて拡張力をユーザの鼻に印加し続ける。この点で、従来の鼻用ストリップは磁石の近接度に基づいてＯＮ状態とＯＦＦ状態との間の移行を継ぎ目なく行う性能を含んでいない。
【００３１】
一実施形態によると、鼻あて２０および磁石５８は、鼻あて２０が磁石５８に磁気結合する間、鼻あて２０と磁石５８との間の相対移動が可能となるように構成されている。たとえば、金属要素２４のドーム状または弧状の構成は、磁石５８が金属要素２４の表面上を移動することを可能にする。具体的には、磁石５８は、磁石５８が金属要素２４の近傍に磁気的に保持されているとき、１つ以上の軸に沿って、好適には２つ以上の軸に沿って、金属要素２４に対して移動してもよい。鼻あて２０と磁石５８との間のかかる相対移動は、装着者による活動の増加に起因する可能性がある。金属要素２４の表面上の磁石５８のかかる移動は、ユーザが磁気引力を越えるのに十分な力を印加しさえすれば、磁石５８（およびレンズ取り付けデバイス１８全体）を鼻あて２０から外す、すなわち離脱させることを促進する。この点で、レンズ取り付けデバイス１８と鼻あて２０との間の結合が磁気結合のみを介して達成され、非磁気結合に一切頼らないようにしてよいため、レンズ取り付けデバイス１８の鼻あて２０からの離脱は比較的簡単である。
【００３２】
ピボットユニット２８の旋回動はガイド部材４４を介して制御され、ガイド部材は、ヒンジ要素３２によって形成された空洞４２内で平行移動し、ガイド部材４４の平行移動をピボットユニット２８の旋回動に変換する方法でピボットユニット２８に対して結合されている。ガイド部材４４の外形は空洞４２を補足する形状であり、第１の側壁３６を補足する第１の側部、および第２の側壁３８を補足する第２の側部を含んでなる。ガイド部材４４にはさらに、回転軸６６周りに回転する調節シャフト６４を収容する大きさに決められて構成された中央穴６２が形成されている。ガイド部材４４および調節シャフト６４は、調節シャフト６４の回転動をガイド部材４４の軸移動に変換するように協働的に構成されている。例示的な実施形態において、ガイド部材４４はガイド本体７０に対して結合されたナット６８を含んでなり、ナット６８はガイド本体７０内に形成されたスロット内に収容される。ナット６８の内側ねじ山は調節シャフト６４の外側ねじ山と係合し、それにより調節シャフト６４が第１の回転方向に回転するとナット６８およびガイド本体７０が第１の軸方向に調節シャフト６４（および回転軸６６）に沿ってベース２６に対して移動し、調節シャフト６４が逆の第２の回転方向に回転するとナット６８およびガイド本体７０が逆の第２の軸方向に調節シャフト６４に沿って移動するようになっている。したがって、調節シャフト６４を回転させることにより、ガイド部材４４はベース２６に対して移動することができる。他の実施態様において、ガイド部材４４が調節シャフト６４に直接係合するようにねじ切りされていてもよく、かかる実施態様では、ガイド部材４４がナットを含んでなっていなくてもよいことが理解される。ガイド部材４４は可塑材、金属、または当該技術分野において公知のその他材料で作成されてよいと考えられる。
【００３３】
ガイド部材４４はガイドカム面７２を含んでなり、ガイドカム面７２は、ピボットユニット２８と接合しており、ガイド部材４４の平行移動をピボットユニット２８の旋回動に変換するような大きさに決められて構成されたガイド部材４４の部分である。図示のように、ガイドカム面４４は、両方のピボットアーム４６のアームカム面５６と接合する弧状の面である。ガイドカム面４４の弧状の性質により、ピボットアーム４６のそれぞれの端部の、ガイド部材平行移動軸７４に略垂直な軸に沿った移動が生成される。図６および図７に示す透視図によると、ガイド部材４４は、ガイドカム面７２が、「Ｕ」の開放端部が下向きになって「Ｕ」の閉塞端部の下側に来る、逆「Ｕ」字形状を形成するように構成される。各アームカム面５６は「Ｕ」のそれぞれの側に接合するように適合される。アーム４６が「Ｕ」の開放端部に位置するとき、ピボットユニット２８は狭めた構成であり、図６に示すように対向する磁石５８の間の距離はＤ１である。しかし、ガイド部材４４が図６に示す位置から図７に示す位置に移行すると、アームカム面５６はガイドカム面７２に沿って「Ｕ」の閉塞端部に向かって移動する。ガイドカム面７２の弧状の構成により、ピボットユニット２８の端部はガイド平行移動軸７４、従って互いに向かって移動し、それによりピボットユニット２８は図７に示す広げた構成となり、対向する磁石５８の間の距離はＤ１より大きいＤ２となる。ピボットユニット２８が狭めた構成から広げた構成に移行すると、ピボットアーム４６の第２の端部５０の間の距離は、対の磁石５８の間の距離と同様、大きくなる。逆に、ピボットユニット２８が広げた構成から狭めた構成に移行すると、ピボットアーム４６の第２の端部５０の間の距離は、対の磁石４６の間の距離と同様、小さくなる。
【００３４】
ガイドカム面７２は、ユーザの鼻に印加される拡張力を調節するために、狭めた構成と広げた構成との間で選択的に移行される。具体的には、ピボットアーム４６の第２の端部５０が広がると（たとえば、第１と第２の対の磁石５８の間の空間が大きくなると）、鼻あて２０が磁石５８に向かってより大きな距離に「引っ張られる」、すなわち、変位されるため、より大きな拡張力がユーザに印加される。逆に、拡張力の大きさは、ピボットユニット２８を狭めた構成に移行して、鼻あて２０が変位される距離を小さくすることによって減少させてもよい。
【００３５】
上述のように、ガイド部材４４の移動は調節シャフト６４の回転と連動する。一実施形態によると、調節シャフト６４を回転させるためにツール７６を使用する。この点で、調節シャフト６４は受け口またはツールを補足する形状の構成を有していてもよい。たとえば、調節シャフト６４は、アレンレンチ、ねじ回し、または当該技術分野において公知のその他メカニカルツールと係合するように構成されていてもよい。また、調節シャフト６４は、その手動調節を可能にする位置まで延びるように構成されてもよいことが考えられる。
【００３６】
図８および図９を参照すると、図１〜図７に示した実施形態と同様の他の実施形態であるアイウェアレンズ取り付けデバイス１８ａが示されており、主な違いは保持ストラップ８０を含んでなることである。それによると、図１〜図７に示すアイウェアレンズ取り付けデバイス１８は、装着者の耳周りに延びるアームまたは装着者の頭周りに延びるストラップなどの固定機構を有するアイウェアに使用するのに特に適している。この点について、かかる固定機構が無ければ、アイウェアデバイス１８はユーザの鼻１４の正面で鼻あて２０周りに旋回するであろう。
【００３７】
図８および図９に示す保持ストラップ８０は、従来の固定機構に代わるものとして意図されるものである。この点について、保持ストラップ８０はアームまたは他の同様の従来の固定機構無しにアイウェアレンズ取り付けデバイス１８ａを装着者の鼻１４上に保持するように構成されている。例示的な実施形態において、保持ストラップ８０はブリッジ部材３０の側部３１ａから反対側の側部３１ｂまで延び、デバイス１８ａを装着者が装着したときに、保持ストラップ８０が装着者の鼻１４上を延びてデバイス１８ａがユーザの鼻１４の正面で旋回することを防止するようになっている。この点で、デバイス１８ａは装着者の鼻１４上に３つ以上の接点で支持される、すなわち、鼻あて２０を介して装着者の鼻１４の各側部で支持されるとともに保持ストラップ８０によって支持される。したがって、３点の支持により、デバイス１８ａが従来の三脚と同様に機能することが可能になる。
【００３８】
保持ストラップ８０の取り付けがブリッジ部材３０への取り付けに限定されないことが理解される。むしろ、保持ストラップ８０はピボットユニットに取り付けてもよく、レンズに直接取り付けてもよく、あるいはアイウェアフレームに取り付けてもよい。
【００３９】
図１０〜図１４を参照すると、他の実施形態であるアイウェアレンズ取り付けデバイス１１８が示されている。デバイス１１８は一般に、ベース１２０およびベース１２０に旋回可能に結合された一対のピボットユニット１２２を含んでなり、ピボットユニット１２２は鼻あて２０と相互作用してピボットユニット１２２を鼻あて２０に磁気結合させるように構成されている。一実施形態によると、ベース１２０は、アイウェアレンズ１２を収容するように適合されたブリッジ要素１２４およびピボットユニット１２２と旋回可能に係合するように適合されたヒンジ要素１２６から構成されている。ブリッジ要素１２４は上述のブリッジ要素３０と同様である。例示的な実施形態に示すブリッジ要素１２４およびヒンジ要素１２６は互いに一体に形成されているが、ブリッジ要素１２４およびヒンジ要素１２６は互いに協働する別々の構成要素であってもよいことが理解される。
【００４０】
ヒンジ要素１２６は、各ピボットユニット１２２のベース１２０に対する旋回動を可能とするようにピボットユニット１２２に旋回可能に結合されている。各ピボットユニット１２２はヒンジ要素１２６に旋回可能に結合され、第１の端部１３０および反対側の第２の端部１３２を含んでなるピボットアーム１２８を含んでなる。例示的な実施形態において、各ピボットアーム１２８の第１の端部１３０は、ピボットアーム１２８をヒンジ要素１２６に旋回可能に結合するためにヒンジ要素１２６上に形成されたそれぞれのヒンジ穴１３６に収容されるピボットボス１３４を含んでなる。各ピボットアーム１２８の第２の端部１３２は、上述のように、１つ以上の磁石１３８、好適には一対の磁石１３８に対して結合されている。それによると、各ピボットアーム１２８の第２の端部１３２は、１つの、より好適には一対の磁石１３８と係合するための大きさに決められて構成された磁石保持部１４０を形成する。図１０〜図１４に示す磁石保持部１４０は図１〜図７に示す磁石保持部６０よりも薄型の形状因子を形成している。磁石１３８は、好適にはオフセット状に、上述の「Ｖ」字状に配置される。
【００４１】
ピボットユニット１２２の旋回動はガイド部材１４２を介して制御され、ベース１２０に対して平行移動するように適合される。ガイド部材１４２はまた、ガイド部材１４２の平行移動をピボットユニット１２２の旋回動に変換する方法でピボットユニット１２２に結合されている。ガイド部材１４２はベース１２０に向いた第１の面１４４およびベース１２０から離れる方に向いた反対側の第２の面１４６を含んでなる。ガイド部材１４２はまた、第１の面１４４から第２の面１４６に向かってガイド部材１４２内に延びる一対の溝１４８を含んでなる。各溝１４８はピボットアーム１２８のうちの１つがそれを貫通して延びるように適合される。
【００４２】
調節穴１５０がガイド部材１４２内に形成されており、回転軸１５４周りに回転する調節シャフト１５２を収容するように適合されている。ガイド部材１４２および調節シャフト１５２は、調節シャフト１５２の回転動をガイド部材１４２の軸移動に変換するように協働的に構成されている。調節穴１５０は調節シャフト１５２の外側ねじ山と係合する内側ねじ山を含んでなり、それにより調節シャフト１５２が第１の回転方向に回転するとガイド部材１４２が第１の軸方向に調節シャフト１５２（および回転軸１５４）に沿ってベース１２０に対して移動し、調節シャフト１５２が逆の第２の回転方向に回転するとガイド部材１４２が逆の第２の軸方向に調節シャフト１５２に沿って移動するようになっている。したがって、調節シャフト１５２を回転させることにより、ガイド部材１４２はベース１２０に対して移動することができる。
【００４３】
各ピボットアーム１２８の一部は、対応するヒンジ穴１３６内に収容されたピボットボス１３４によってヒンジ要素１２６およびベース１２０に対してそれぞれの旋回軸１５６周りに嵌合されている。この点については、ピボットボス１３４はそれぞれの旋回軸１５６周りに旋回してもよいが、ピボットボス１３４間の距離は固定されている。これに対して、ピボットアーム１２８の第２の端部１３２間の距離はピボットアーム１２８の旋回動によって変化してもよい。
【００４４】
ピボットアーム１２８の旋回動はガイド部材１４２によって制御される。具体的には、ガイド部材１４２がベース１２０に対して平行移動するとガイド部材１４２がピボットアーム１２８に沿って摺動し、それによりピボットアーム１２８がヒンジ要素１２６に対して旋回し、互いに対して移動するようになっている。図１３および図１４に示す透視図によると、ガイド部材１４２が下方へ移動すると、ピボットアーム１２８の第２の端部１３２は互いの方向へ動かされて狭めた状態の姿勢になる（図１３参照）。逆に、ガイド部材１４２が上方へ移動すると、ピボットアーム１２８の第２の端部１３２は互いから離れる方向へ動かされて、ピボットアーム１２８は広げた状態の姿勢になる（図１４参照）。
【００４５】
ガイド部材１４２の移動は調節シャフト１５２の回転と連動する。手動の調節ノブ１５８が調節シャフト１５２に対して結合されて調節シャフト１５２を回転させる。ユーザは調節ノブ１５８を第１の回転方向に回転させて調節シャフト１５２の第１の回転方向への回転を実施してもよい。同様に、ユーザは調節ノブ１５８を第２の回転方向に回転させて調節シャフト１５２の第２の回転方向への回転を実施してもよい。調節ノブ１５８はデバイス１１８の上端近傍に、アイウェアのフレーム１６０に隣接して配置される。この点で、装着者がデバイス１１８を装着している間に調節ノブ１５８の手動のアクセスを可能にするためにレンズを貫通するスロットを設けてもよい。この点については、装着者は単に調節ノブ１５８を回転することによって、使用中／飛行中に拡張力の程度を迅速かつ容易に調節してもよい。
【００４６】
図１０〜図１４に示すように、デバイス１１８はアイウェアフレーム１６０と一体成形されている。この点で、デバイス１１８はアイウェアレンズ１２の上縁部に沿って延びてもよい前方フレーム要素を伴って成形されてもよい。
【００４７】
図１５〜図１９を参照すると、他の変更例であるアイウェアレンズ取り付けデバイス２１８が示されている。デバイス２１８は一般に、ベース２２０およびベース２２０に旋回可能に結合された一対のピボットユニット２２２を含んでなり、ピボットユニット２２２は鼻あて２０と相互作用してピボットユニット２２２を鼻あて２０に磁気結合させるように構成されている。一実施形態によると、ベース２２０はアイウェアレンズ１２を収容するように適合されたブリッジ要素２２４を含んでなる。ブリッジ要素２２４は上述のブリッジ要素と同様である。
【００４８】
ベース２２０はブリッジ要素２２４に対して結合された支点要素２２６（たとえば、ヒンジ要素）をさらに含んでなり、支点要素２２６はその上でピボットユニット２２２が旋回する構造をもたらす。各ピボットユニット２２２は第１の端部２３０および反対の第２の端部２３２を有するピボットアーム２２８を含んでなる。例示的な一実施形態において、各ピボットアームの第１の端部２３０は取り付けステム２３４を含んでなる。各ピボットアームの第２の端部２３２は、図１０〜図１４に関して上述した第２の端部１３２と同様であり、１つ以上の磁石２３６、好適には一対の磁石２３６に対して結合されている。
【００４９】
ピボットユニット２２２の旋回動は、ベース２２０に対して開口部２４０内を平行移動するガイド部材２３８を介して制御される。ガイド部材２３８およびピボットユニット２２２は、ガイド部材２３８の平行移動がピボットユニット２２２の旋回動に変換されるように構成されている。ガイド部材２３８はガイド部材２３８内に延びる一対の溝２４２を含んでなり、溝２４２はピボットユニット２２２をガイド部材２３８に結合するために、特にそれぞれの取り付けステム２３４を収容する大きさに決められて構成されている。調節穴２４４がガイド部材２３８内に形成され、回転軸２４８周りに回転する調節シャフト２４６を収容するように適合されている。ガイド部材２３８および調節シャフト２４６は、調節シャフト２４６の回転動をガイド部材２３８の軸移動に変換するように協働的に構成されている。調節穴２４４は調節シャフト２４６の外側ねじ山と係合する内側ねじ山を含んでなり、それにより調節シャフト２４６が第１の回転方向に回転するとガイド部材２３８が第１の軸方向に調節シャフト２４６（および回転軸２４８）に沿ってベース２２０に対して移動し、調節シャフト２４６が逆の第２の回転方向に回転するとガイド部材２３８が逆の第２の軸方向に調節シャフト２４６に沿って移動するようになっている。したがって、調節シャフト２４６を回転させることにより、ガイド部材２３８はベース２２０に対して移動することができる。
【００５０】
ピボットアーム２２２の旋回動はガイド部材２３８および支点要素２２６によって制御される。具体的には、ガイド部材２３８が平行移動すると、ピボットアーム２２８の第１の端部２３０が支点要素２２６に近づくまたは離れる方向に動かされ、それによりピボットアーム２２２の旋回動がもたらされる。図１８および図１９に示す透視図によると、ガイド部材２３８が上方へ移動すると、ピボットアーム２２８の第２の端部２３２は互いの方向へ動かされて狭めた状態の姿勢になる（図１８参照）。逆に、ガイド部材２３８が下方へ移動すると、ピボットアーム２２８の第２の端部２３２は互いから離れる方向へ動かされて、ピボットアーム２２８は広げた状態の姿勢になる（図１９参照）。
【００５１】
手動の調節ノブ２５０が調節シャフト２４６に対して結合されて調節シャフト２４６を回転させる。ユーザは調節ノブ２５０を第１の回転方向に回転させて調節シャフト２４６の第１の回転方向への回転を実施してもよい。同様に、ユーザは調節ノブ２５０を第２の回転方向に回転させて調節シャフト２４６の第２の回転方向への回転を実施してもよい。調節ノブ２５０は調節シャフト２４６の底部近傍に、ブリッジ部材２２４に隣接して配置される。この点で、装着者がデバイス２１８を使用している間に調節ノブ２５０の手動のアクセスを可能にするために、調節ノブ２５０をレンズ１２の下方に配置してもよく、あるいは、レンズ１２を貫通するスロットを設けてもよい。この点については、装着者は単に調節ノブ２５０を回転することによって、使用中／飛行中に拡張力の程度を迅速かつ容易に調節してもよい。
【００５２】
図２０〜図２５を参照すると、他の実施形態である、ベース３２６およびベース３２０に旋回可能に結合された一対のピボットユニット３２８を含んでなる、アイウェアレンズ取り付けデバイス３１８が示されている。例示的な一実施形態において、ヒンジ要素３４２はブリッジ要素３３０と一体成形されており、ピボットユニット３２８は中央軸３４５の対向する側に配置されている。各ピボットユニット３２８はユーザの鼻１４に拡張力を印加するために１つ以上の鼻あて２０と磁気的に相互作用するように適合されている。
【００５３】
ベース３２６はブリッジ要素３３０およびヒンジ要素３４２を含んでなる。ヒンジ要素４２は、ブリッジ要素３３０に対して結合され、第１のピボットユニット３２８ａに旋回可能に結合された第１のヒンジ部３４４および第２のピボットユニット３２８ｂに旋回可能に結合された第２のヒンジ部３４６を含んでなる。また、ブリッジ要素３３０はそれぞれブリッジ要素のアーム上に形成された一対の終端部３３８を含んでなってもよく、終端部３３８はアイウェアレンズ１２をブリッジ要素３３０に結合するためにアイウェアレンズ１２の対応するブリッジ領域上に形成されたそれぞれの突出部４１に当接するように構成されている。具体的には、突出部４１はブリッジ要素３３０の終端部３３８の周りに延びてアイウェアレンズ１２がブリッジ要素３３０から意図せず脱落するのを防止するようにしてもよい。もちろん、アイウェアレンズ１２をブリッジ要素３３０に取り付けるために、他のスナップフィット構成などの他の機構を、本開示の精神および範囲を逸脱することなく使用してもよい。特定の一実施形態において、ブリッジ要素３３０をアイウェアレンズ１２上にオーバーモールドしてそれらの間の結合をより永久的な結合にすることも考えられる。
【００５４】
図２２を特に参照すると、第１のヒンジ部３４４は、間隔を空けて設けられて一対の同軸に整合された開口部を形成する一対のタブ３４８を含んでなり、タブ３４８間の間隔は第１のピボットユニット３２８ａの一部を収容するように適合されている。第１のピボットユニット３２８ａを第１のヒンジ部３４４に旋回可能に結合するために、タブ３４８および第１のピボットユニット３２８ａに第１のピボットピン３５０を貫通させ、それにより第１のピボットユニット３２８ａはベース３２６に対して第１の旋回軸３５２周りに旋回可能となる。第２のヒンジ部３４６は第１のヒンジ部３４４と同様に構成されており、間隔を空けて設けられて一対の同軸に整合された開口部を形成する一対のタブ３５４を含んでなり、タブ３５４間の間隔は第２のピボットユニット３２８ｂの一部を収容するように適合されている。第２のピボットユニット３２８ｂを第２のヒンジ部３４６に旋回可能に結合するために、タブ３５４および第２のピボットユニット３２８ｂに第２のピボットピン３５６を貫通させ、それにより第２のピボットユニット３２８ｂはベース３２６に対して第２の旋回軸３５８周りに旋回可能となる。
【００５５】
一実施形態によると、第１のピボットユニット３２８ａは第１のピボットアーム３６０と第１のピボットアーム３６０に対して結合された第１のパッド３６２とを含んでなり、第１のピボットアーム３６０はベース３２６に旋回可能に結合されている。第１のパッド３６２は、ユーザの鼻上に載置されるように適合され、第１のパッド３６２は、その周りを第１のピボットアーム３６０が鼻あて２０に対して作用する支点として機能する。第１のパッド３６２は、第１のピボットアーム３６０に沿って平行移動可能である。一実施形態によると、第１のピボットアーム３６０は隆起線、すなわち背部３６４を含んでなってよく、第１のパッド３６２は第１のパッド３６２を第１のピボットアーム３６０に平行移動可能に結合するために背部３６４を収容する対応する溝３６６を含んでなる。第１のパッド３６２は、第１のピボットアーム３６０に向いた第１の面３６７および第１のピボットアーム３６０から離れる方に向いて、レンズ取り付けデバイス１８使用中にユーザの鼻１４と係合する係合面を形成する第２の面３６８を含んでなる。第１のパッド３６２は、第１の面３６７と第２の面３６８との間の距離である、第１のパッド厚みＴ１を形成する。第１のピボットユニット３２８ａはさらに、第１のピボットアーム３６０の遠心端部に対して結合された第１の磁石３７０を含んでなり、第１の磁石３７０は中央軸３４５の方に向いた第１の磁石の内側面３７２を形成する。第１のパッド３６２の第２の面３６８および第１の磁石の内側面３７２は互いに、オフセット距離Ｏ１だけオフセットされており、その重要性については以下により詳しく説明する。
【００５６】
第２のピボットユニット３２８ｂは第１のピボットユニット３２８ａと同様に構成されており、第２のピボットアーム３７６と第２のピボットアーム３７６に対して結合された第２のパッド３７８とを含んでなり、第２のピボットアーム３７６はベース３２６に旋回可能に結合されている。第２のパッド３７８は、ユーザの鼻上に載置されるように適合され、第２のパッド３７８は、その周りを第２のピボットアーム３７６が鼻あて２０に対して作用する支点として機能する。第２のパッド３７８は、第１のピボットアーム３７６に沿って平行移動可能である。一実施形態によると、第２のピボットアーム３７６は隆起線、すなわち背部３８０を含んでなり、第２のパッド３７８は第２のパッド３７８を第２のピボットアーム３７６に平行移動可能に結合するために背部３８０を収容する対応する溝３８２を含んでなる。第２のパッド３７８は、第２のピボットアーム３７６に向いた第１の面３８４および第２のピボットアーム３７６から離れる方に向いてレンズ取り付けデバイス１８使用中にユーザの鼻１４と係合する係合面を形成する第２の面３８６を含んでなる。第２のパッド３７８は、第１の面３８４と第２の面３８６との間の距離である、第２のパッド厚みＴ２を形成する。第２のピボットユニット３２８ｂはさらに、第２のピボットアーム３７６の遠心端部に対して結合された第２の磁石３８８を含んでなり、第２の磁石３８８は中央軸３４５の方に向いた第２の磁石の内側面３９０を形成する。第２のパッド３７８の第２の面３８６および第２の磁石の内側面３９０は互いに、オフセット距離Ｏ２だけ、オフセットされている。
【００５７】
図２０〜図２５に示す実施形態において、磁石３７０、３８８はピボットアーム３６０、３７６において形成されたそれぞれの空洞内に配置される。具体的には、空洞は、それぞれのピボットアーム３６０、３７６内に、その内側面、たとえば、デバイス１８が鼻１４上に装着されるときに鼻１４に向いた面から延びている。例示的な一実施形態において、磁石３７０、３８８は円形ディスクであり、したがって、ピボットアーム３６０、３７６の遠心端部はディスク形状の磁石３７０、３８８を収容するため、拡張された曲面状の端部を含んでなる。多数の磁石を各ピボットアーム３６０、３７６に結合して上述のように角度を有する構成にしてもよいことも考えられる。
【００５８】
第１のピボットアーム３６０および第２のピボットアーム３７６は中央軸３４５の対向する側に配置され、それらの間に鼻調節角Θを形成し、鼻調節角Θはユーザの鼻１４に略一致させることが可能である。この点で、鼻調節角Θの大きさはユーザの鼻１４の大きさに対応するように調節されてもよい。
【００５９】
一実施形態によると、ユーザの鼻に印加される拡張力の強度は、パッド３６２、３７８の厚みＴ１およびＴ２によって形成されるオフセットＯ１およびＯ２の大きさに直接関連する。具体的には、オフセットＯ１およびＯ２の大きさが増加すると、それぞれの拡張力の大きさ（たとえば、鼻の側部に印加される拡張力）も増加する。逆に、オフセットＯ１およびＯ２の大きさが減少すると、それぞれの拡張力の大きさも減少する。したがって、一実施形態によると、拡張力の大きさは、所望の拡張力に対応する厚みＴ１およびＴ２を有するパッド３６２、３７８を選択することによって選択するようにしてもよい。この点で、パッド３６２、３７８を対応するピボットアーム３６０、３７６から着脱可能として、ユーザが望ましくない厚みを有するパッドをより望ましい厚みを有するパッドに交換することによって拡張力の大きさを変更することを可能にすることが考えられる。
【００６０】
システムの使用は、１つ以上の鼻あて２０をユーザの鼻１４の側部領域に隣接して配置すること、およびレンズ１２およびレンズ取り付けデバイス３１８の使用の準備をすることを含む。具体的には、レンズ取り付けデバイス３１８がレンズ１２上に成形されていない場合、ユーザは、いずれのレンズ１２を使用してレンズ収容溝３３２に配置するかを選択してもよい。レンズ１２の選択ができることは、環境条件に基づいたシステム１０のカスタマイズを可能にする可能性がある。たとえば、デバイス３１８を明るい日照下で使用する場合は、ユーザは着色レンズ１２を選択してもよく、デバイス３１８をより暗い環境下で使用する場合は、ユーザはクリアレンズ１２を選択してもよい。レンズ取り付けデバイス３１８の準備はまた、好適な拡張力を伴う所望の厚みを有するパッド３６２、３７８がピボットアーム３６０、３７６上に配置されていることを確認することも含む。
【００６１】
鼻あて２０が鼻１４上に配置されると、レンズがレンズ取り付けデバイス３１８に対して結合され、レンズ取り付けデバイス３１８がユーザの鼻上に配置され、レンズ１２がユーザの目の前方に配置される。レンズ取り付けデバイス３１８を鼻１４に近づけると、金属要素２４が磁石３７０、３８８に向かって外方に引っ張られる。また、金属要素２４と磁石３７０、３８８との間の磁気引力により、ピボットアーム３６０、３７６がベース３２６に対して旋回してユーザの鼻１４の大きさに一致する。レンズ保持部材３１８が最終的にユーザの鼻１４上に配置されると、金属要素２４と磁石３７０、３８８との間の磁気引力がユーザの鼻１４に拡張力を印加して、鼻の気道１６を開放する。システムの使用中に、ユーザはレンズ１２をユーザの鼻１４上で昇降させることによりレンズ１２の位置を自己調節することができ、それによりユーザの鼻１４に印加される拡張力の変更も行ってもよい。
【００６２】
ユーザがレンズ１２をユーザの鼻１４から外すことを望む場合は、ユーザは単に、レンズ取り付けデバイス１８を前方にユーザの鼻１４の頂点を越えて摺動させるようにすればよく、それにより磁石３７０、３８８が金属要素２４の表面を越えて摺動し、金属要素２４から離れて、それらの間の磁気引力が効果的に除去され、拡張力を終了させる。
【００６３】
図２６および図２７を参照すると、他の実施形態であるレンズ取り付けデバイス３１８ａが示されており、主な違いは、第１のピボットアーム３６０と第２のピボットアーム３７６との間に結合されて延びる保持部材３９２を含んでなることであり、保持部材３９２は、特にレンズ取り付けデバイス３１８ａをユーザの耳の後ろに延びるアーム無しに形成されたレンズに用いる場合に、ユーザの鼻１４上にレンズ取り付けデバイス３１８ａを保持するためにユーザの鼻１４と係合するように適合されている。保持部材３９２はピボットアーム３６０、３７６間に延びる弾性バンド、ストラップ、または管材片であってもよい。保持部材３９２は、より詳しく上述したように、ピボットアーム３６０、３７６のベース３２６に対する旋回を可能にするために可撓性または伸縮性を有している。あるいは、異なる鼻を収容するために一端部または両端部で長くしたり短くしたりすることが可能なバンドなど、伸縮性を有さない保持部材３９２を使用してもよい。
【００６４】
図２８〜図３１を参照すると、上記の実施形態に関連して上述したピボットユニットと同様の他の実施形態である、一対のピボットユニット４２２を含んでなるレンズ取り付けデバイス４１８が示されている。主な違いは、上述した上記の実施形態が互いに独立して旋回可能なピボットユニットを含んでなるのに対して、図２８〜図３１に示すピボットユニット４２２は連動しており、一方のピボットユニット４２２の旋回動が他方のピボットユニット４２２の旋回動をもたらすようになっていることである。
【００６５】
各ピボットユニット４２２はベース４２８に旋回可能に結合され、第１のピボットユニット４２２ａは第１のギヤ部４２４を有し、第２のピボットユニット４２２ｂは第２のギヤ部４２６を有している。第１のギヤ部４２４は第２のギヤ部４２６の対応する一連のギヤ歯と協働的に係合する一連のギヤ歯を含んでなる。第１および第２のギヤ部４２４、４２６は、ねじ４３２または他の当該技術分野において公知の取り付け機構によってベース４２８に対して固定されてもよいキャップ４３０で被覆されてもよい。キャップ４３０は、ごみがギヤ部４２４、４２６の操作性に支障をきたすことから保護するためにギヤ部４２４、４２６を少なくとも部分的に被覆する。キャップ４３０はさらに、ピボットユニット４２２ａ、４２２ｂをベース４２８に固定してもよい。
【００６６】
上記において、ピボットアームは１つ以上のアイウェアレンズに係合するように適合されたベースに対して結合されると説明したが、デバイスの他の実施形態はレンズに対して直接結合されて図示のようなベースを必要としないピボットアームを含んでいてもよいことが考えられる。具体的には、レンズに１つ以上の孔を開けてもよく、ピボットアームをレンズに孔を使用して取り付けてもよい。この点については、かかる取り付けを実施するために取り付け機器を使用してもよい。
【００６７】
図３２および図３３を参照すると、他の実施形態である、装着者のレンズ１２上に取り付け可能でかつ装着者が装着する１つ以上の鼻あて２０と磁気的に相互作用するように適合されているデバイス５１０が示されている。デバイス５１０はレンズ１２に取り付け可能な本体５１２を含んでなり、本体５１２はレンズ１２の外周部を収容するように適合された溝を含んでなる。一実施形態によると、本体５１２は第１の下方レンズ部５１４および第２の下方レンズ部５１６を含んでなる。例示的な実施形態において、第１および第２の下方レンズ部５１４、５１６は、第１の側部５１８、頂上部５２０、および第２の側部５２２を介して互いに結合されている。しかし、第１および第２の下方レンズ部５１４、５１６は、別々のレンズまたは共通のレンズの別々の領域に取り付けられる別々の構成要素であってもよいことも考えられる。第１の磁石ハウジング５２４ａが第１の下方レンズ部５１４に対して結合され、第２の磁石ハウジング５２４ｂが第２の下方レンズ部５１６に対して結合される。各磁石ハウジング５２４ａ、５２４ｂは磁石５２６を収容するように適合された凹部または開口部を含んでなり、各磁石５２６は磁石調節部５２８に動作可能に結合されている。磁石５２６は、装着者がレンズを装着したときに鼻あて２０と磁気的に相互作用するように適合されている。例示的な実施形態において、磁石調節部５２８は対応する磁石５２６を調節軸５３２に沿って調節することができる。磁石調節部５２８は磁石５２６に動作可能に結合された止めねじであってもよい。本開示はそれに限定されないが、調節軸５３２は互いに角度オフセットされていてもよいが、調節軸５３２は互いに同軸に整合されているのが好適である。磁石５２６は、磁石５２６の位置をそれぞれの磁石ハウジング５２４ａ、５２４ｂに対して変更し、次いで装着者の鼻に対する拡張力を調節するために、それらのそれぞれの調節軸に沿って独立して移動可能である。具体的には、磁石５２６が装着者の鼻から離れると、鼻あて２０が磁石５２６と物理的に相互作用するためにより遠くへ移動することを必要とするため、拡張力が増加する。逆に、磁石５２６が装着者の鼻の方へ移動すると、鼻あて２０が磁石と物理的に相互作用するために遠くへ移動することを必要としないため、拡張力が減少する。
【００６８】
上述のデバイスの実施形態はいずれも、アイウェアフレームとは別体の構成要素として構成されてもよく、あるいは、実施形態のうちのいずれか１つはアイウェアフレームと一体成形されて、デバイスおよびアイウェアフレームが１つのユニットとして動作するようになっていてもよいことが考えられる。この点については、デバイスのいくつかの実施形態は少なくとも部分的にアイウェアレンズに支持を依拠していてもよく、一方で他の実施形態はアイウェアレンズからの構造的支持を必要としないように適合されていてもよい。また、上述の実施形態のうちのいずれか１つは、１つのレンズ、または２つのレンズなど、複数のレンズに使用されるように適合されていてもよい。
【００６９】
本明細書に示す特徴は、説明の目的のみのために実施例によって示されており、本開示の様々な実施形態の原理および概念の態様の最も有用かつ容易に理解されると思われるものを提供するために提示されていない。この点については、様々な実施形態の異なる特徴の根本的な理解のために必要とされる以上の詳細を示そうとはしておらず、これらをどのように実施する可能性があるかが当業者に明らかとなるように図面を用いて説明を行った。
【図１】
2018523845.tif 000003
【図２】
2018523845.tif 000004
【図３】
2018523845.tif 000005
【図４】
2018523845.tif 000006
【図５】
2018523845.tif 000007
【図６】
2018523845.tif 000008
【図７】
2018523845.tif 000009
【図８】
2018523845.tif 000010
【図９】
2018523845.tif 000011
【図１０】
2018523845.tif 000012
【図１１】
2018523845.tif 000013
【図１２】
2018523845.tif 000014
【図１３】
2018523845.tif 000015
【図１４】
2018523845.tif 000016
【図１５】
2018523845.tif 000017
【図１６】
2018523845.tif 000018
【図１７】
2018523845.tif 000019
【図１８】
2018523845.tif 000020
【図１９】
2018523845.tif 000021
【図２０】
2018523845.tif 000022
【図２１】
2018523845.tif 000023
【図２２】
2018523845.tif 000024
【図２３】
2018523845.tif 000025
【図２４】
2018523845.tif 000026
【図２５】
2018523845.tif 000027
【図２６】
2018523845.tif 000028
【図２７】
2018523845.tif 000029
【図２８】
2018523845.tif 000030
【図２９】
2018523845.tif 000031
【図３０】
2018523845.tif 000032
【図３１】
2018523845.tif 000033
【図３２】
2018523845.tif 000034
【図３３】
2018523845.tif 000035
【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
１つ以上のアイウェアレンズを、鼻の気道の拡張をもたらすユーザの鼻に装着可能な１つ以上の鼻あてに結合するためのデバイスにおいて、
前記１つ以上のアイウェアレンズに係合可能に構成されたベースと、
前記ベースに対して結合され、前記ベースに対して第１の旋回軸周りに旋回可能な、第１のピボットユニットと、
前記ベースに対して結合され、前記ベースに対して第２の旋回軸周りに旋回可能な、第２のピボットユニットと、
前記第１のピボットユニットおよび前記第２のピボットユニットのうちの少なくとも片方に対して結合されたガイド部材であって、ベースと前記第１のピボットユニットおよび前記第２のピボットユニットのうちの前記少なくとも片方とに対して移動可能であり、前記ベースに対する前記第１のピボットユニットおよび前記第２のピボットユニットのうちの前記少なくとも片方の旋回動をもたらす、ガイド部材と、を含んでなり、
前記第１のピボットユニットおよび前記第２のピボットユニットは、１つ以上の鼻あてと相互作用して、前記第１のピボットユニットおよび前記第２のピボットユニットを前記１つ以上の鼻あてに磁気結合させるように構成され、前記第１のピボットユニットおよび前記第２のピボットユニットと前記１つ以上の鼻あてとの間の前記磁気結合は前記ユーザの鼻に拡張力を印加し、前記１つ以上の鼻あてが前記ユーザの鼻に装着されているときに前記鼻の気道を拡張する、デバイス。
【請求項２】
前記ガイド部材は、前記第１のピボットユニットと前記第２のピボットユニットとに対して結合されている、請求項１に記載のデバイス。
【請求項３】
前記ガイド部材内には一対の溝が形成されており、前記第１のピボットユニットおよび前記第２のピボットユニットはそれぞれ、前記一対の溝のうちの１つに収容されている、請求項２に記載のデバイス。
【請求項４】
前記ガイド部材は、前記第１のピボットユニットおよび前記第２のピボットユニットと接合するカム面を含んでなり、前記カム面は、前記ガイド部材の平行移動を前記第１のピボットユニットおよび前記第２のピボットユニットの旋回動に変換するような大きさに決められて構成されている、請求項２に記載のデバイス。
【請求項５】
前記ベースと前記ガイド部材とに対して結合された調節シャフトをさらに含んでなり、前記ガイド部材は前記調節シャフトに沿って平行移動可能である、請求項１に記載のデバイス。
【請求項６】
前記ガイド部材および前記調節シャフトは、前記ガイド部材が前記調節シャフトの回転軸周りの回転に対応して前記調節シャフトに沿って平行移動可能となるように構成されている、請求項５に記載のデバイス。
【請求項７】
前記調節シャフトに対して結合され、前記調節シャフトの前記回転軸周りの回転の手動制御を可能とするように適合された調節ノブをさらに含んでなる、請求項６に記載のデバイス。
【請求項８】
前記第１のピボットユニットは第１のギヤ部を含んでなり、前記第２のピボットユニットは前記第１のピボットユニットの前記第２のピボットユニットに対する旋回動の連動を促進するように前記第１のギヤ部に協働的に係合された第２のギヤ部を含んでなる、請求項１に記載のデバイス。
【請求項９】
前方フレーム要素と、前記前方フレーム要素に旋回可能に結合された一対のアームと、を含んでなるアイウェアフレームをさらに含んでなり、前記ベースは前記前方フレーム要素に対して一体結合されている、請求項１に記載のデバイス。
【請求項１０】
前記ベースは、前記１つ以上のアイウェアレンズを収容するように適合されたレンズ収容溝を有するブリッジ要素を含んでなる、請求項１に記載のデバイス。
【請求項１１】
前記ベースは、前記ブリッジ要素に対して結合されるとともに第１のヒンジ部と第２のヒンジ部とを有するヒンジ要素を含んでなり、前記第１のピボットユニットは前記第１のヒンジ部において前記ヒンジ要素に対して結合され、前記第２のピボットユニットは前記第２のヒンジ部において前記ヒンジ要素に対して結合されている、請求項１０に記載のデバイス。
【請求項１２】
前記第１のピボットユニットは第１のピボットアームと前記第１のピボットアームに対して結合された第１のパッドとを含んでなり、前記第１のピボットアームは前記ベースに旋回可能に結合されており、
前記第２のピボットユニットは第２のピボットアームと前記第２のピボットアームに対して結合された第２のパッドとを含んでなり、前記第２のピボットアームは前記ベースに旋回可能に結合されている、請求項１に記載のデバイス。
【請求項１３】
前記第１のパッドは前記第１のピボットアームに沿って平行移動可能であり、前記第２のパッドは前記第２のピボットアームに沿って平行移動可能である、請求項１２に記載のデバイス。
【請求項１４】
前記第１のピボットユニットは第１のピボットアームと前記第１のピボットアームに対して結合された１つ以上の磁石とを含んでなり、
前記第２のピボットユニットは第２のピボットアームと前記第２のピボットアームに対して結合された１つ以上の磁石とを含んでなる、請求項１に記載のデバイス。
【請求項１５】
前記第１のピボットユニットは第１のピボットアームと前記第１のピボットアームに対して結合された第１の一対の磁石とを含んでなり、前記第１の一対の磁石は角度オフセット状に配置されており、
前記第２のピボットユニットは第２のピボットアームと前記第２のピボットアームに対して結合された第２の一対の磁石とを含んでなり、前記第２の一対の磁石は角度オフセット状に配置されている、請求項１に記載のデバイス。
【請求項１６】
前記ベースに対して結合され、前記ユーザの鼻と係合して前記デバイスを前記ユーザの鼻上に保持するように適合された保持部材をさらに含んでなる、請求項１に記載のデバイス。
【請求項１７】
１つ以上のアイウェアレンズをユーザに装着して前記ユーザの鼻を拡張するためのシステムにおいて、
ベース層と前記ベース層に対して結合された金属要素とを含んでなる１つ以上の鼻あてであって、前記ベース層は前記ユーザの鼻に装着可能に構成されている、鼻あてと、
前記１つ以上の鼻あてに動作可能に結合可能なアイウェア固定デバイスであって、
前記１つ以上のアイウェアレンズに係合可能に構成されたベースと、
前記ベースに対して結合され、前記ベースに対して第１の旋回軸周りに旋回可能な、第１のピボットユニットと、
前記ベースに対して結合され、前記ベースに対して第２の旋回軸周りに旋回可能な、第２のピボットユニットと、
前記第１のピボットユニットおよび前記第２のピボットユニットのうちの少なくとも片方に対して結合されたガイド部材であって、ベースと前記第１のピボットユニットおよび前記第２のピボットユニットのうちの前記少なくとも片方とに対して移動可能であり、前記ベースに対する前記第１のピボットユニットおよび前記第２のピボットユニットのうちの前記少なくとも片方の旋回動をもたらす、ガイド部材と、を含んでなり、
前記第１のピボットユニットおよび前記第２のピボットユニットは、１つ以上の鼻あてと相互作用して、前記第１のピボットユニットおよび前記第２のピボットユニットを前記１つ以上の鼻あてに磁気結合させるように構成され、前記第１のピボットユニットおよび前記第２のピボットユニットと前記１つ以上の鼻あてとの間の前記磁気結合は前記ユーザの鼻に拡張力を印加し、前記１つ以上の鼻あてが前記ユーザの鼻に装着されているときに前記鼻の気道を拡張する、アイウェア固定デバイスと、
を含んでなる、システム。
【請求項１８】
前記ガイド部材は、前記第１のピボットユニットと前記第２のピボットユニットとに対して結合されている、請求項１７に記載のデバイス。
【請求項１９】
前記ガイド部材内には一対の溝が形成されており、前記第１のピボットユニットおよび前記第２のピボットユニットはそれぞれ、前記一対の溝のうちの１つに収容されている、請求項１８に記載のデバイス。
【請求項２０】
前記ガイド部材は、前記第１のピボットユニットおよび前記第２のピボットユニットと接合するカム面を含んでなり、前記カム面は、前記ガイド部材の平行移動を前記第１のピボットユニットおよび前記第２のピボットユニットの旋回動に変換するような大きさに決められて構成されている、請求項１８に記載のデバイス。
【国際調査報告】
2018523845.tif 000036